(57)【特許請求の範囲】
【請求項１】
拡声通報対象の音声を発信する拡声通報発信装置と、複数の発信元からの拡声通報を制御する拡声通報制御装置と、通話音声を発信する通話音声発信装置と、回線制御を行う回線制御装置と、前記回線制御装置からの信号を受信して無線により送信する基地局と、前記基地局から送信される拡声通報対象の音声の無線信号を受信して拡声出力する拡声子局と、前記基地局から送信される通話音声の無線信号を受信して音声出力する移動局と、を有し、
前記拡声通報制御装置は、前記拡声通報発信装置から発信された拡声通報対象の音声が前記回線制御装置及び前記基地局を介して前記拡声子局に対して送信されるように制御する第１の拡声通報制御手段と、ユーザにより行われる操作を受け付ける操作受付手段と、前記操作受付手段により受け付けられた操作に応じて当該拡声通報制御装置に接続されたマイクから入力された音声が拡声通報対象として前記回線制御装置及び前記基地局を介して前記拡声子局に対して送信されるように制御する第２の拡声通報制御手段と、拡声通報対象の音声を第１のコーデックで符号化する符号化手段と、を備え、
前記回線制御装置は、通話音声を前記第１のコーデックとは異なる第２のコーデックで符号化する符号化手段を備え、
拡声通報対象の音声は、前記拡声通報制御装置の符号化手段により前記第１のコーデックで符号化されてから前記基地局により前記拡声子局へ無線送信され、通話音声は、前記回線制御装置の符号化手段により前記第１のコーデックとは異なる第２のコーデックで符号化されてから前記基地局により前記移動局へ無線送信される、
ことを特徴とする無線通信システム。
【請求項２】
請求項１に記載の無線通信システムにおいて、
前記拡声子局を複数有しており、
前記拡声通報制御装置の前記操作受付手段は、予め設定された１以上の拡声子局に対する拡声通報を指示するための専用の操作受付部を有しており、
前記拡声通報制御装置の前記第２の拡声通報制御手段は、前記操作受付手段が有する前記専用の操作受付部が操作されたことに応じて、当該専用の操作受付部について予め設定された１以上の拡声子局に対して拡声通報対象の音声が送信されるように制御する、
ことを特徴とする無線通信システム。
【請求項３】
請求項１又は請求項２に記載の無線通信システムにおいて、
前記拡声通報制御装置は、前記拡声通報発信装置と当該拡声通報制御装置を含む２以上の装置について拡声通報の優先度を記憶する優先度記憶手段と、前記優先度記憶手段に記憶された優先度に基づいて優先度が高い装置から発信される拡声通報が優先度がより低い装置から発信される拡声通報と比べて優先させて行われるように制御する優先度制御手段と、を備えた、
ことを特徴とする無線通信システム。
【請求項４】
請求項３に記載の無線通信システムにおいて、
前記拡声通報制御装置には、拡声通報の発信元の１つとして外部のシステムが接続されており、
前記優先度制御手段は、前記外部のシステムによる拡声通報が最優先で行われるように制御する、
ことを特徴とする無線通信システム。
【請求項５】
請求項１乃至請求項４のいずれか１項に記載の無線通信システムにおいて、
前記拡声通報制御装置は、前記マイクから入力された音声以外の拡声通報対象の音声を出力するモニタスピーカを備えた、
ことを特徴とする無線通信システム。
【請求項６】
請求項５に記載の無線通信システムにおいて、
前記拡声通報制御装置は、拡声通報の開始時および終了時にチャイム音を前記拡声子局に対して送信し、当該チャイム音の送信に対応させて当該チャイム音を前記モニタスピーカから出力させる、
ことを特徴とする無線通信システム。
【発明の詳細な説明】
【技術分野】
【０００１】
本発明は、市町村デジタル移動通信システムなどの無線通信システムに関し、特に、確実に拡声通報を行うことができる無線通信システムに関する。
【背景技術】
【０００２】
例えば、市町村デジタル移動通信システムにおいて、従来のデジタル移動通信分野では法規制や音楽が流せない等の理由により拡声通報をすることができなかった。しかしながら、法規制面では１００局未満の小規模システムであれば拡声通報が可能となり、市町村デジタル移動通信システムでも拡声通報を行うことができるようになった。
なお、市町村デジタル固定系通信システムでは、従来から拡声通報が実施されていた（例えば、特許文献１参照。）。
【先行技術文献】
【特許文献】
【０００３】
【特許文献１】特開２００６−１５７４８８号公報
【発明の概要】
【発明が解決しようとする課題】
【０００４】
上記のような事情から、市町村デジタル移動通信システムなどにおいて、拡声通報を行うための技術の開発が要求されている。
本発明は、このような従来の事情に鑑み為されたもので、市町村デジタル移動通信システムなどにおいて、より確実に拡声通報を行うことができる無線通信システムを提供することを目的とする。
【課題を解決するための手段】
【０００５】
上記目的を達成するため、本発明に係る無線通信システムでは、次のような構成とした。
すなわち、拡声通報対象の音声を発信する拡声通報発信装置と、複数の発信元からの拡声通報を制御する拡声通報制御装置と、回線制御を行う回線制御装置と、前記回線制御装置からの信号を受信して無線により送信する基地局と、前記基地局からの無線信号を受信して拡声出力する拡声子局と、を有する。
前記拡声通報制御装置では、第１の拡声通報制御手段が、前記拡声通報発信装置から発信された拡声通報対象の音声が前記回線制御装置及び前記基地局を介して前記拡声子局に対して送信されるように制御する。また、操作受付手段が、ユーザにより行われる操作を受け付け、そして、第２の拡声通報制御手段が、前記操作受付手段により受け付けられた操作に応じて、当該拡声通報制御装置に接続されたマイクから入力された音声が拡声通報対象として前記回線制御装置及び前記基地局を介して前記拡声子局に対して送信されるように制御する。
【０００６】
従って、拡声通報発信装置からの拡声通報及び拡声通報制御装置からの拡声通報が可能であり、例えば、拡声通報発信装置からの拡声通報に障害が生じたような場合においても、拡声通報制御装置からの拡声通報を行うことができる。このように、例えば、市町村デジタル移動通信システムなどにおいて、より確実に拡声通報を行うことができる。
【０００７】
一構成例として、本発明に係る無線通信システムでは、次のような構成とした。
すなわち、前記拡声子局を複数有している。
前記拡声通報制御装置の前記操作受付手段は、予め設定された１以上の拡声子局に対する拡声通報を指示するための専用の操作受付部を有している。
前記拡声通報制御装置の前記第２の拡声通報制御手段は、前記操作受付手段が有する前記専用の操作受付部が操作されたことに応じて、当該専用の操作受付部について予め設定された１以上の拡声子局に対して拡声通報対象の音声が送信されるように制御する。
【０００８】
従って、拡声通報制御装置の専用の操作受付部が操作されることで、予め設定された１以上の拡声子局に対して拡声通報が行われ、これにより、ユーザによる拡声通報のための操作を容易化することができ、ユーザの利便性を高めることができる。
【０００９】
一構成例として、本発明に係る無線通信システムでは、次のような構成とした。
すなわち、前記拡声通報制御装置では、優先度記憶手段が、前記拡声通報発信装置と当該拡声通報制御装置を含む２以上の装置について拡声通報の優先度を記憶し、そして、優先度制御手段が、前記優先度記憶手段に記憶された優先度に基づいて、優先度が高い装置から発信される拡声通報が、優先度がより低い装置から発信される拡声通報と比べて、優先させて行われるように制御する。
【００１０】
従って、複数の発信元（装置）からの拡声通報を制御する拡声通報制御装置において、各発信元（各装置）からの拡声通報の優先度に基づいて、拡声通報の制御が行われ、これにより、例えば、使用状況等に応じて設定された優先度に基づいて、優先度が高い拡声通報を優先させて行うことができる。
【００１１】
上記目的を達成するため、本発明に係る拡声通報制御装置では、次のような構成とした。
すなわち、第１の拡声通報制御手段が、拡声通報発信装置から発信された拡声通報対象の音声が回線制御装置及び基地局を介して拡声子局に対して送信されるように制御する。
また、操作受付手段が、ユーザにより行われる操作を受け付け、そして、第２の拡声通報制御手段が、前記操作受付手段により受け付けられた操作に応じて、自装置（当該拡声通報制御装置）に接続されたマイクから入力された音声が拡声通報対象として前記回線制御装置及び前記基地局を介して前記拡声子局に対して送信されるように制御する。
【００１２】
従って、拡声通報発信装置からの拡声通報及び拡声通報制御装置からの拡声通報が可能であり、例えば、拡声通報発信装置からの拡声通報に障害が生じたような場合においても、拡声通報制御装置からの拡声通報を行うことができる。このように、例えば、市町村デジタル移動通信システムなどにおいて、より確実に拡声通報を行うことができる。
【００１３】
一構成例として、本発明に係る拡声通報制御装置では、次のような構成とした。
すなわち、前記操作受付手段は、予め設定された１以上の拡声子局に対する拡声通報を指示するための専用の操作受付部を有している。
前記第２の拡声通報制御手段は、前記操作受付手段が有する前記専用の操作受付部が操作されたことに応じて、当該専用の操作受付部について予め設定された１以上の拡声子局に対して拡声通報対象の音声が送信されるように制御する。
【００１４】
従って、拡声通報制御装置の専用の操作受付部が操作されることで、予め設定された１以上の拡声子局に対して拡声通報が行われ、これにより、ユーザによる拡声通報のための操作を容易化することができ、ユーザの利便性を高めることができる。
【００１５】
一構成例として、本発明に係る拡声通報制御装置では、次のような構成とした。
すなわち、優先度記憶手段が、前記拡声通報発信装置と自装置（当該拡声通報制御装置）を含む２以上の装置について拡声通報の優先度を記憶し、そして、優先度制御手段が、前記優先度記憶手段に記憶された優先度に基づいて、優先度が高い装置から発信される拡声通報が、優先度がより低い装置から発信される拡声通報と比べて、優先させて行われるように制御する。
【００１６】
従って、複数の発信元（装置）からの拡声通報を制御する拡声通報制御装置において、各発信元（各装置）からの拡声通報の優先度に基づいて、拡声通報の制御が行われ、これにより、例えば、使用状況等に応じて設定された優先度に基づいて、優先度が高い拡声通報を優先させて行うことができる。
【発明の効果】
【００１７】
以上説明したように、本発明によると、例えば、市町村デジタル移動通信システムなどの無線通信システムにおいて、確実に拡声通報を行うことができる。
【図面の簡単な説明】
【００１８】
【図１】本発明の一実施例に係る市町村デジタル移動通信システムの構成例を示す図である。
【図２】本発明の一実施例に係るエンコードユニットの構成例を示す図である。
【図３】本発明の一実施例に係るエンコードユニットの外観の一例を示す図である。
【図４】拡声統制台からの通報時における処理のシーケンスの一例を示す図である。
【図５】エンコードユニットからの緊急一括通報時における処理のシーケンスの一例を示す図である。
【図６】自動起動装置（Ｊ−ＡＬＥＲＴ）からの通報時における処理のシーケンスの一例を示す図である。
【発明を実施するための形態】
【００１９】
本発明に係る実施例を図面を参照して説明する。
図１には、本発明の一実施例に係る市町村デジタル移動通信システムの構成例を示してある。
本例の市町村デジタル移動通信システムは、例えば、ＡＲＩＢ＿ＳＴＤ＿Ｔ７９に規定されたデジタル移動通信システムであり、拡声統制台１、自動起動装置（Ｊ−ＡＬＥＲＴ）２、エンコードユニット３、統制台４、副統制台５、回線制御装置６、アンテナを有するデジタル基地局７（以下、単に基地局７ともいう）、アンテナを有するアナログ基地局８、アンテナを有する屋外拡声子局１１、アンテナを有する半固定局１２、アンテナを有する携帯無線機１３を備えている。
【００２０】
屋外拡声子局１１は、無線機２１、デコードユニット２２、拡声スピーカ２３を備えている。
半固定局１２は、無線機１３を備えている。
なお、基地局７、８や、屋外拡声子局１１や、半固定局１２や、携帯無線機１３としては、例えば、それぞれ、複数備えられてもよく、本例では、複数備えられている（図示略）。
【００２１】
本例の市町村デジタル移動通信システムにおいて行われる動作の例（１−１）〜（１−４）を示す。
（１−１）拡声統制台１からの通報について説明する。
例えばユーザ（人）などによる操作部の操作により又は装置により自動的に、拡声統制台１から通報をかけると、制御データがインタフェース（本例では、ＲＳ−２３２Ｃの回線）４１を経由してエンコードユニット３に送信され、これにより、回線制御装置６と基地局７との間で通信可能な状態にする。
通信可能状態になると、拡声統制台１からアナログ音声がインタフェース（本例では、オーディオケーブルの回線）４２にてエンコードユニット３に送信される。なお、アナログ音声としては、例えば、拡声統制台１に設けられたマイクあるいはエンコードユニット３のマイク（後述するマイク１０１）により入力した音声或いは予め記憶された他の音声を用いることができる。エンコードユニット３でアナログ音声をコーデック（本例では、ＡＭＲ−ＷＢ（Ａｄａｐｔｉｖｅ  Ｍｕｌｔｉ−Ｒａｔｅ  Ｗｉｄｅｂａｎｄ）の方式）により非音声データへ変換（符号化）し、インタフェース（本例では、ＲＳ−２３２Ｃの回線）４５にて回線制御装置６に送信する。
【００２２】
エンコードユニット３からの非音声データが、回線制御装置６からインタフェース（本例では、Ｉ．４３０ａの回線）４８にてデジタル基地局７に送信される。この非音声データが、基地局７から無線回線を用いて、例えば通常の通話に用いる１スロットよりも多い３スロットを使用して、屋外拡声子局１１の無線機２１に送信される。
屋外拡声子局１１では、受信された非音声データが、無線機２１からインタフェース（本例では、ＲＳ−２３２Ｃの回線）５１にて、デコードユニット２２に送信される。デコードユニット２２でこの非音声データをアナログ音声へ戻して（復号して）、拡声スピーカ２３からその音声を出力する。
（以上、１−１）
【００２３】
（１−２）エンコードユニット３からの通報について説明する。
例えばユーザなどによる操作部の操作により又は装置により自動的に、エンコードユニット３から通報をかけると、これにより、回線制御装置６と基地局７との間で通信可能な状態にする。
通信可能状態になると、エンコードユニット３に接続されているマイク（例えば、図２に示されるマイク１０１）から音声を入力し、エンコードユニット３はそのアナログ音声をコーデック（本例では、ＡＭＲ−ＷＢの方式）により非音声データへ変換（符号化）し、インタフェース（本例では、ＲＳ−２３２Ｃの回線）４５にて回線制御装置６に送信する。
【００２４】
エンコードユニット３からの非音声データが、回線制御装置６からインタフェース（本例では、Ｉ．４３０ａの回線）４８にてデジタル基地局７に送信される。この非音声データが、各基地局７から無線回線を用いて、例えば３スロットを使用して、屋外拡声子局１１の無線機２１に送信される。
屋外拡声子局１１では、受信された非音声データが、無線機２１からインタフェース（本例では、ＲＳ−２３２Ｃの回線）５１にて、デコードユニット２２に送信される。デコードユニット２２でこの非音声データをアナログ音声へ戻して（復号して）、拡声スピーカ２３からその音声を出力する。
（以上、１−２）
【００２５】
（１−３）統制台４や副統制台５からの通報について説明する。
例えばユーザなどによる操作部の操作により又は装置により自動的に、統制台４或いは副統制台５から通報をかけると、まず制御データが各々のインタフェース（本例では、ＬＡＮ：Ｌｏｃａｌ  Ａｒｅａ  Ｎｅｔｗｏｒｋ、の回線）４６、４７にて回線制御装置６に送信され、これにより、回線制御装置６と各基地局７、８との間で通信可能な状態にする。
通信可能状態になると、統制台４或いは副統制台５からアナログ音声が各々のインタフェース（本例では、ＬＡＮの回線）４６、４７にて回線制御装置６に送信される。なお、アナログ音声としては、例えば、統制台４や副統制台５に設けられたマイクにより入力した音声或いは他の音声を用いることができる。
【００２６】
統制台４或いは副統制台５からの音声が、回線制御装置６においてコーデック（本例では、ＥＬ−ＣＥＬＰ（Ｅｘｔｅｎｄｅｄ  Ｌｅａｒｎｅｄ−Ｃｏｄｅ  Ｅｘｃｉｔｅｄ  Ｌｉｎｅａｒ  Ｐｒｅｄｉｃｔｉｏｎ）の方式）により符号化され、回線制御装置６から、インタフェース（本例では、Ｉ．４３０ａの回線）４８にてデジタル基地局７に送信され、インタフェース（本例では、４Ｗの回線）４９にてアナログ基地局８に送信される。この音声が、各基地局７、８から無線回線を用いて、１スロットを使用して、半固定局１２の無線機３１や携帯無線機１３に送信される。
半固定局１２の無線機３１や携帯無線機１３では、受信された音声について、復号して、アナログ音声を出力する。
（以上、１−３）
【００２７】
（１−４）自動起動装置（Ｊ−ＡＬＥＲＴ）２からの通報について説明する。
自動起動装置（Ｊ−ＡＬＥＲＴ）２から通報がかかると、インタフェース（本例では、接点入力４３）で、エンコードユニット３に通報がかかったことが伝わる。これに応じて、エンコードユニット３は、自動起動装置（Ｊ−ＡＬＥＲＴ）２からの通報があることを回線制御装置６に通知する。これにより、回線制御装置６と基地局７との間で通信可能な状態にする。
通信可能状態になると、自動起動装置（Ｊ−ＡＬＥＲＴ）２からアナログ音声がインタフェース（本例では、オーディオケーブルの回線）４４にてエンコードユニット３に送信される。エンコードユニット３は、このアナログ音声をコーデック（本例では、ＡＭＲ−ＷＢの方式）により非音声データへ変換（符号化）し、インタフェース（本例では、ＲＳ−２３２Ｃの回線）４５にて回線制御装置６に送信する。
【００２８】
エンコードユニット３からの非音声データが、回線制御装置６からインタフェース（本例では、Ｉ．４３０ａの回線）４８にてデジタル基地局７に送信される。この非音声データが、基地局７から無線回線を用いて、例えば３スロットを使用して、屋外拡声子局１１の無線機２１に送信される。
屋外拡声子局１１では、受信された非音声データが、無線機２１からインタフェース（本例では、ＲＳ−２３２Ｃの回線）５１にて、デコードユニット２２に送信される。デコードユニット２２でこの非音声データをアナログ音声へ戻して（復号して）、拡声スピーカ２３からその音声を出力する。
（以上、１−４）
【００２９】
ここで、本例では、音声符号化方式として、エンコードユニット３のコーデックにおいて、ＡＭＲ−ＷＢの方式を使用したが、例えば、移動局（屋外拡声子局１１や半固定局１２や携帯無線機１３）の間の通話等においては、ＥＬ−ＣＥＬＰの方式が使用される。なお、拡声通報用のコーデック（ここではＡＭＲ−ＷＢ）は、通常の半固定局１２や携帯無線機１３への通報、通話用のコーデック（ここではＥＬ−ＣＥＬＰ）よりも高ビットレートであり、非音声データの無線通信には、拡声通報の方がより多くの通信スロットを要する。
【００３０】
また、本例では、音声の送信を例として説明したが、例えば、テキストや画像などの種々なデータの送信を、拡声統制台１、自動起動装置（Ｊ−ＡＬＥＲＴ）２、エンコードユニット３、統制台４、副統制台５の１以上から行うことも可能である。
【００３１】
図２には、エンコードユニット３の構成例（処理ブロックの構成例）を示してあり、それとともに、拡声統制台１、自動起動装置（Ｊ−ＡＬＥＲＴ）２、回線制御装置６、マイク１０１を示してある。
ここで、本例では、マイク１０１としては、共通な１つのマイクが、拡声統制台１とエンコードユニット３で共用されている。なお、マイクを設ける態様としては、種々なものが用いられてもよく、例えば、１つのマイクが拡声統制台１、エンコードユニット３、統制台４、副統制台５などの２以上で共用されてもよく、或いは、装置毎に別個なマイクが設けられてもよい。
【００３２】
本例のエンコードユニット３は、ＡＴコマンドインタフェース１１１、外部マイクインタフェース１１２、音声エンコード部（本例では、ＤＳＰ：Ｄｉｇｉｔａｌ  Ｓｉｇｎａｌ  Ｐｒｏｃｅｓｓｏｒ）１１３、内部スピーカ音量調整部１１４、ＡＦ（Ａｕｄｉｏ  Ｆｒｅｑｕｅｎｃｙ）アンプ１１５、モニタスピーカ１１６、緊急一括スイッチ１１７、通報１スイッチ１１８、通報２スイッチ１１９、終話スイッチ１２０、接点入力インタフェース１２１、接点出力インタフェース１２２、動作ＬＥＤ（Ｌｉｇｈｔ  Ｅｍｉｔｔｉｎｇ  Ｄｉｏｄｅ）１２３を備えている。
なお、各スイッチ１１７〜１２０は、例えば、ボタンなどを用いて構成されている。
【００３３】
各処理ブロックについて説明する。
ＡＴコマンドインタフェース１１１は、拡声統制台１からの発信要求（例えば、制御データ）を受けて、回線制御装置６に対して発信要求（例えば、制御データ）を渡す処理と、回線制御装置６から受けた応答（例えば、制御データ）を拡声統制台１に渡す処理を行い、発信或いは接続応答或いは終話の要求により、音声エンコード部（本例では、ＤＳＰ）１１３の処理の起動或いは停止を指示（制御）する。本例では、コマンド体系としては、ＡＴコマンドを使用する。
なお、ＡＴコマンドインタフェース１１１と拡声統制台１との間や、ＡＴコマンドインタフェース１１１と回線制御装置６との間では、制御又は他のデータが送受信される。
【００３４】
外部マイクインタフェース１１２は、マイク１０１から入力された音声を音声エンコード部（本例では、ＤＳＰ）１１３に入力する。
音声エンコード部（本例では、ＤＳＰ）１１３は、ＤＳＰのコーデックの機能により音声符号化（本例では、ＡＭＲ−ＷＢの方式）を行い、拡声統制台１や自動起動装置（Ｊ−ＡＬＥＲＴ）２や外部マイクインタフェース１１２から入力された音声をＤＳＰの機能にて符号化する。
なお、音声エンコード部（本例では、ＤＳＰ）１１３は、ＡＴコマンドインタフェース１１１にデータ（例えば、符号化された音声を含む非音声データ）を送信する。
【００３５】
内部スピーカ音量調整部１１４は、拡声統制台１や自動起動装置（Ｊ−ＡＬＥＲＴ）２から入力された音声について、音量を調整して、ＡＦアンプ１１５に入力する。
ＡＦアンプ１１５は、内部スピーカ音量調整部１１４からの音声について、拡声統制台１或いは自動起動装置（Ｊ−ＡＬＥＲＴ）２から通報する音声や、録音した音声メッセージの再生をモニタスピーカ１１６に入力する。
モニタスピーカ１１６は、ＡＦアンプ１１５からの音声を出力する。
【００３６】
緊急一括スイッチ１１７、通報１スイッチ１１８、通報２スイッチ１１９、終話スイッチ１２０は、それぞれ、ユーザなどにより操作される。
接点入力インタフェース１２１は、緊急一括スイッチ１１７、通報１スイッチ１１８、通報２スイッチ１１９、終話スイッチ１２０の各々のスイッチの接点入力による制御処理を行い、また、自動起動装置（Ｊ−ＡＬＥＲＴ）２の接点入力による起動処理を行う。ここで、接点入力インタフェース１２１は、ＡＴコマンドインタフェース１１１に起動や停止の制御を行う。
接点出力インタフェース１２２は、接点入力インタフェース１２１の制御処理により、動作ＬＥＤ１２３の点灯や消灯の制御処理を行う。
動作ＬＥＤ１２３は、接点出力インタフェース１２２からの接点起動により、点灯や消灯する。
【００３７】
ここで、エンコードユニット３からの通報の対象範囲について説明する。
エンコードユニット３からの通報は、緊急一括スイッチ１１７、通報１スイッチ１１８、通報２スイッチ１１９のいずれかをユーザなどにより長押しすることにより、行われる。
緊急一括スイッチ１１７は、長押しされると、全ての屋外拡声子局１１に対して拡声通報を行う。
通報１スイッチ１１８或いは通報２スイッチ１１９は、それぞれ、指定された情報（例えば、コンフィグ情報）に通報する屋外拡声子局１１を設定しておくことで、長押しされると、設定された屋外拡声子局１１に対してのみ拡声通報を行う。
【００３８】
なお、本例のエンコードユニット３では、通報（例えば、拡声通報等）を行う対象とする装置（例えば、屋外拡声子局１１等）の宛先を指定するスイッチ等を備えていないが、他の構成例として、このような宛先を指定するスイッチ等の操作部を備えて、通報を行うたびにユーザなどにより通報の宛先を指定してもよく、一例として、このような点に関して、拡声統制台１と同様（或いは、ほぼ同様）な機能とすることができる。
【００３９】
また、エンコードユニット３からの通報について説明する。
エンコードユニット３からの通報では、緊急一括スイッチ１１７、通報１スイッチ１１８、通報２スイッチ１１９のいずれかが長押しされると、回線制御装置６と各基地局との間で通信可能な状態になる。通信可能な状態になると、まず、エンコードユニット３から上りチャイムを非音声データとして、回線制御装置６に送信する。この上りチャイムの非音声データが、回線制御装置６から各基地局に送信され、無線回線を用いて、対象となる各屋外拡声子局１１に送信される。
各屋外拡声子局１１では、受信された非音声データをデコーダユニット２２でアナログ音声へ変換し、上りチャイムが拡声スピーカ２３から鳴動により出力される。なお、エンコードユニット３は、上りチャイムの非音声データが送信されるとすぐに、あるいは、所定時間後にモニタスピーカ１１６から上りチャイム音を出力することが好ましい。これにより、操作者は、各屋外拡声子局１１との回線が開き音声を入力可能であることを知ることができる。
【００４０】
上りチャイムの鳴動がし終わると、マイク１０１がオフ（ＯＦＦ）からオン（ＯＮ）へ変わり、マイク１０１による音声通報が可能となる。マイク１０１にて音声通報を行い、通報が終了したら、ユーザなどにより終話スイッチ１２０を押下することで、マイク１０１がオフとなり、エンコードユニット３から下りチャイムを非音声データとして、回線制御装置６に送信する。この下りチャイムの非音声データが、回線制御装置６から各基地局に送信され、無線回線を用いて、各屋外拡声子局１１に送信される。
各屋外拡声子局１１では、受信された非音声データをデコーダユニット２２でアナログ音声に変換し、下りチャイムが拡声スピーカ２３から鳴動により出力される。なお、エンコードユニット３は、下りチャイムの非音声データが送信されるとすぐに、あるいは、所定時間後にモニタスピーカ１１６から下りチャイム音を出力することが好ましい。これにより、操作者は通報が終了したことを知ることができる。
下りチャイムの鳴動がし終わると、通報終了となり、通信可能状態から待機状態となる。
【００４１】
このように、一例として、緊急一括スイッチ１１７がオンにされると、自動的に全ての屋外拡声子局１１に対して呼が張られ、呼が張られると、まず上りチャイムを鳴らす。そして、上りチャイムの鳴動後に、マイクをオンにし、ユーザなどが上りチャイムが鳴ると話し始め、その後、終話スイッチ１２０が押されると、下りチャイムが流れて呼が切断され、拡声処理が終了する。
【００４２】
また、本例における通報の優先度について説明する。
拡声統制台１からの通報中であるときに、エンコーダユニット３から通報を行った場合には、優先度が高い方の通報が優先され、優先度が低い方の通報は強制切断されるか或いは通報不可となる。ここで、各通報の優先度は、例えば、予め固定的に或いは変更可能に、設定されて、エンコーダユニット３などのメモリに記憶される。
また、エンコードユニット３が通報中であるときに、拡声統制台１から通報がかかった場合についても、同じように、優先度が高い通報が優先され、優先度が低い通報は強制切断されるか或いは通報不可となる。
【００４３】
具体的には、優先度が高い通報が行われているときに、優先度が低い通報の要求が発生した場合には、当該要求に係る通報は不可（通報不可）となり、また、優先度が低い通報が行われているときに、優先度が高い通報の要求が発生した場合には、当該優先度が低い通報は強制切断され、当該要求に係る通報が行われる。
【００４４】
但し、本例では、自動起動装置（Ｊ−ＡＬＥＲＴ）２からの通報は最優先の通報となり、拡声統制台１から通報を行っていたときやエンコードユニット３から通報を行っていたときに、自動起動装置（Ｊ−ＡＬＥＲＴ）２からの通報が発生した場合には、全ての通報を強制切断し、自動起動装置（Ｊ−ＡＬＥＲＴ）２からの通報を最優先で通報する。
また、自動起動装置（Ｊ−ＡＬＥＲＴ）２が通報中であるときには、その通報が終了するまで、拡声統制台１やエンコードユニット３からの通報は全て不可能となる。
【００４５】
このように、本例では、自動起動装置（Ｊ−ＡＬＥＲＴ）２からの通報が最も優先され、自動起動装置（Ｊ−ＡＬＥＲＴ）２からの通報時には、拡声統制台１からの通報も、エンコードユニット３からの直接の通報も制限され、また、拡声統制台１からの通報時やエンコードユニット３からの直接の通報時に、自動起動装置（Ｊ−ＡＬＥＲＴ）２からの通報が入ると、元の通報は強制終了されて、自動起動装置（Ｊ−ＡＬＥＲＴ）２からの通報を優先して実行する。
【００４６】
なお、優先度に基づく制御を行う機能は、例えば、エンコードユニット３における全体的な処理を制御する制御部を設けて、当該制御部に当該機能が備えられてもよく、或いは、エンコードユニット３における２以上の処理部に分散して当該機能が備えられてもよい。
【００４７】
図３には、エンコードユニット３の外観の一例を示してある。
本例のエンコードユニット３は、エンコードユニット電源ＬＥＤ２０１、エンコードユニットアラームＬＥＤ２０２、ＰＣアラームＬＥＤ２０３、ＬＰＵアラームＬＥＤ２０４、通報中ＬＥＤ２０５、局送ＬＥＤ２０６、ＰＣ接続中ＬＥＤ２０７、ＬＣＵ接続中ＬＥＤ２０８、マイク音量レベルメータＬＥＤ２０９、マイク音量調整ツマミ２１０、緊急一括スイッチ２１１（図２に示される緊急一括スイッチ１１７に対応するもの）、通報１スイッチ２１２（図２に示される通報１スイッチ１１８に対応するもの）、通報２スイッチ２１３（図２に示される通報２スイッチ１１９に対応するもの）、終話スイッチ２１４（図２に示される終話スイッチ１２０に対応するもの）、モニタスピーカ２１５（図２に示されるモニタスピーカ１１６に対応するもの）、エンコードユニットスピーカ音量調整ツマミ２１６（図２に示される内部スピーカ音量調整部１１４）を備えている。
【００４８】
各部について説明する。
エンコードユニット電源ＬＥＤ２０１は、エンコードユニット３の電源が入れられると、点灯する。
エンコードユニットアラームＬＥＤ２０２は、エンコードユニット３に障害が生じている場合に点灯し、復旧すると消灯する。
ＰＣアラームＬＥＤ２０３は、拡声統制台１に障害が生じている場合に点灯し、復旧すると消灯する。
ＬＣＵアラームＬＥＤ２０４は、回線制御装置６に障害が生じている場合に点灯し、復旧すると消灯する。
【００４９】
通報中ＬＥＤ２０５は、拡声通報中に点灯し、その通報が終了すると消灯する。
局送ＬＥＤ２０６は、エンコードユニット３から通報を行った場合に点灯し、その通報が終了すると消灯する。
ＰＣ接続中ＬＥＤ２０７は、拡声統制台１と繋がっている状態である時に点灯し、繋がっていない状態である時には消灯する。
ＬＣＵ接続中ＬＥＤ２０８は、回線制御装置６と繋がっている状態である時に点灯し、繋がっていない状態である時には消灯する。
【００５０】
マイク音量レベルメータＬＥＤ２０９は、その点灯により、マイク（本例では、図２に示されるマイク１０１）の音量を表示する。
マイク音量調整ツマミ２１０は、ユーザなどにより当該マイク音量調整ツマミ２１０を左右に移動させることに応じて、マイクの音量を調整する。
【００５１】
緊急一括スイッチ２１１は、ユーザなどにより当該緊急一括スイッチ２１１を長押しすることにより、エンコードユニット３から、全ての屋外拡声子局１１に対して拡声通報を行う。
通報１スイッチ２１２は、ユーザなどにより当該通報１スイッチ２１２を長押しすることにより、エンコードユニット３から、当該通報１スイッチ２１２に設定してある屋外拡声子局１１に対して拡声通報を行う。
通報２スイッチ２１３は、ユーザなどにより当該通報２スイッチ２１３を長押しすることにより、エンコードユニット３から、当該通報２スイッチ２１３に設定してある屋外拡声子局１１に対して拡声通報を行う。
終話スイッチ２１４は、ユーザなどにより当該終話スイッチ２１４を押下することにより、通報を終了（終話）させる。
【００５２】
モニタスピーカ２１５は、通報中の音声を出力する。但し、本例では、マイクからの音声は出力しない。
エンコードユニットスピーカ音量調整ツマミ２１６は、ユーザなどにより当該エンコードユニットスピーカ音量調整ツマミ２１６を回すことによって、モニタスピーカ２１５からの音声の音量を調整する。
【００５３】
図４には、拡声統制台１からの通報時における処理のシーケンスの一例を示してある。なお、本例では、正常時における処理のシーケンスを示す。
ユーザ（Ｕｓｅｒ）が拡声統制台１において操作部により選択・呼出操作を行うと、拡声統制台１はエンコードユニット３へ所定のＡＴコマンド（例えば、ＡＴ％Ｃ１）を送信し、エンコードユニット３は回線制御装置６へ所定のＡＴコマンド（例えば、ＡＴ％Ｃ１）を送信する。拡声統制台１では、待受けの運用表示を行う。回線制御装置６はエンコードユニット３へ所定のＡＴコマンド（例えば、ＯＫ）を送信し、エンコードユニット３は拡声統制台１へ所定のＡＴコマンド（例えば、ＯＫ）を送信する。
【００５４】
拡声統制台１はエンコードユニット３へ所定のＡＴコマンド（例えば、ＡＴＳＬＯＴ３１）を送信し、エンコードユニット３は回線制御装置６へ所定のＡＴコマンド（例えば、ＡＴＳＬＯＴ３１）を送信する。回線制御装置６はエンコードユニット３へ所定のＡＴコマンド（例えば、ＯＫ）を送信し、エンコードユニット３は拡声統制台１へ所定のＡＴコマンド（例えば、ＯＫ）を送信する。拡声統制台１では、呼出中の運用表示を行う。
拡声統制台１はエンコードユニット３へ所定のＡＴコマンド（例えば、（ＡＴＤ呼出先番号）呼出）を送信し、エンコードユニット３は回線制御装置６へ所定のＡＴコマンド（例えば、（ＡＴＤ呼出先番号）呼出）を送信する。
【００５５】
回線制御装置６は基地局７に単信呼設定の信号を送信し、基地局７で無線回線が確保される。基地局７は、回線制御装置６へ呼設定受付の信号を送信し、屋外拡声子局１１へＳＢ（Ｓｙｎｃｈｒｏｎｏｕｓ  Ｂｕｒｓｔ）１の信号、ＵＩ（Ｕｎｎｕｍｂｅｒｅｄ  Ｉｎｆｏｒｍａｔｉｏｎ；グループ通信呼出、グループ呼設定）の信号を送信し、そして、屋外拡声子局１１へＴＣＨ（Ｔｒａｆｆｉｃ  Ｃｈａｎｎｅｌ；Ｂ／Ｉ＝Ｂ、データ）の信号を送信するとともに、回線制御装置６へ無線チャンネル通知の信号を送信する。
回線制御装置６は、基地局７へ送信権表示の信号を送信するとともに、エンコードユニット３へＣＤ  ＯＮの信号を送信する。屋外拡声子局１１では、拡声通報中の状態となる。エンコードユニット３は、拡声統制台１へＣＤ  ＯＮの信号を送信する。拡声統制台１では、通信中の運用表示を行う。
回線制御装置６はエンコードユニット３へ所定のＡＴコマンド（例えば、ＣＯＮＮＥＣＴ）を送信し、エンコードユニット３は拡声統制台１へ所定のＡＴコマンド（例えば、ＣＯＮＮＥＣＴ）を送信する。
【００５６】
ユーザは拡声統制台１にマイク選択を行い、拡声統制台１はエンコードユニット３へ音声選択要求（マイクの選択要求）の信号を送信する。エンコードユニット３は、拡声統制台１へ音声選択通知（マイクの選択通知）の信号を送信し、回線制御装置６へ所定の制御信号コマンド（例えば、音量、時差、接点に関するコマンド）を送信する。回線制御装置６は基地局７へ非音声データ（制御信号）を送信し、基地局７は屋外拡声子局１１へ非音声データ（制御信号）を送信し、屋外拡声子局１１はデコードユニット２２にユーザデータ通知（制御信号）を送る。
【００５７】
ユーザがマイク１０１を操作し、音声がエンコードユニット３に入力され、エンコードユニット３は、この音声を拡声統制台１に対して出力するとともに、この音声の非音声データ（音声信号）を回線制御装置６へ送信する。回線制御装置６は基地局７へ非音声データ（音声信号）を送信し、基地局７は屋外拡声子局１１へ非音声データ（音声信号）を送信し、屋外拡声子局１１はデコードユニット２２にユーザデータ通知（音声信号）を送り、デコードユニット２２から拡声通報（音声）を出力する。
【００５８】
ユーザが操作部により終話操作を拡声統制台１に行うと、拡声統制台１では終了中の運用表示を行い、拡声統制台１はエンコードユニット３へ所定のＡＴコマンド（例えば、＋＋＋）を送信し、エンコードユニット３は回線制御装置６へ所定のＡＴコマンド（例えば、＋＋＋）を送信する。回線制御装置６はエンコードユニット３へ所定のＡＴコマンド（例えば、ＯＫ）を送信し、エンコードユニット３は拡声統制台１へ所定のＡＴコマンド（例えば、ＯＫ）を送信する。
【００５９】
拡声統制台１はエンコードユニット３へ所定のＡＴコマンド（例えば、ＡＴＨ）を送信し、エンコードユニット３は回線制御装置６へ所定のＡＴコマンド（例えば、ＡＴＨ）を送信する。回線制御装置６は基地局７へ送信権表示の信号を送信し、基地局７は屋外拡声子局１１へＴＣＨ（Ｂ／Ｉ＝Ｂ、データ）の信号を送信する。回線制御装置６は基地局７へ解放完了の信号を送信し、基地局７は屋外拡声子局１１へＵＩ（グループ通信呼出、グループ呼設定）の信号、ＵＩ（無線チャンネル切断、切断）の信号、ＵＩ（無線チャンネル切断、切断）の信号、空線信号を送信する。
【００６０】
回線制御装置６はエンコードユニット３へ所定のＡＴコマンド（例えば、ＮＯ  ＣＡＲＲＩＥＲ）を送信し、エンコードユニット３は拡声統制台１へ所定のＡＴコマンド（例えば、ＮＯ  ＣＡＲＲＩＥＲ）を送信する。回線制御装置６はエンコードユニット３へＣＤ  ＯＦＦの信号を送信し、エンコードユニット３は拡声統制台１へＣＤ  ＯＦＦの信号を送信する。拡声統制台１では、待受けの運用表示を行う。
（以上、図４の処理シーケンスの説明）
【００６１】
図５には、エンコードユニット３からの緊急一括通報時における処理のシーケンスの一例を示してある。
ユーザ（Ｕｓｅｒ）がエンコードユニット３の緊急一括スイッチ１１７のオン（例えば、ボタンの押下）により緊急一括呼出操作を行うと、エンコードユニット３は回線制御装置６へ所定のＡＴコマンド（例えば、ＡＴ％Ｃ１）を送信し、回線制御装置６はエンコードユニット３へ所定のＡＴコマンド（例えば、ＯＫ）を送信し、エンコードユニット３は回線制御装置６へ所定のＡＴコマンド（例えば、ＡＴＳＬＯＴ３１）を送信し、回線制御装置６はエンコードユニット３へ所定のＡＴコマンド（例えば、ＯＫ）を送信する。
【００６２】
エンコードユニット３は、拡声統制台１へ通報状態変化通知（緊急通報開始）の信号を送信するとともに、回線制御装置６へ所定のＡＴコマンド（例えば、（ＡＴＤ呼出先番号）呼出）を送信する。拡声統制台１では、呼出中の運用表示を行う。回線制御装置６は基地局７へ単信呼設定の信号を送信し、基地局７で無線回線が確保される。基地局７は、回線制御装置６へ呼設定受付の信号を送信し、屋外拡声子局１１へＳＢ１の信号、ＵＩ（グループ通信呼出、グループ呼設定）の信号を送信し、回線制御装置６へ無線チャンネル通知の信号を送信し、屋外拡声子局１１へＴＣＨ（Ｂ／Ｉ＝Ｂ、データ）の信号を送信する。屋外拡声子局１１では、拡声通報中の状態となる。
【００６３】
回線制御装置６は、基地局７へ送信権表示の信号を送信する。回線制御装置６はエンコードユニット３へＣＤ  ＯＮの信号を送信し、エンコードユニット３は拡声統制台１へＣＤ  ＯＮの信号を送信し、回線制御装置６はエンコードユニット３へ所定のＡＴコマンド（例えば、ＣＯＮＮＥＣＴ）を送信し、エンコードユニット３は拡声統制台１へ通報状態変化通知（緊急通報中）の信号を送信する。拡声統制台１では、通信中の運用表示を行う。
【００６４】
エンコードユニット３は回線制御装置６へ所定の制御信号コマンド（例えば、音量、接点に関するコマンド）を送信し、回線制御装置６は基地局７へ非音声データ（制御信号）を送信し、基地局７は屋外拡声子局１１へ非音声データ（制御信号）を送信し、屋外拡声子局１１はデコードユニット２２にユーザデータ通知（制御信号）を送る。
【００６５】
エンコードユニット３は、上りチャイムの再生を行う。具体的には、エンコードユニット３は回線制御装置６へ非音声データ（音声信号）を送信し、回線制御装置６は基地局７へ非音声データ（音声信号）を送信し、基地局７は屋外拡声子局１１へ非音声データ（音声信号）を送信し、屋外拡声子局１１はデコードユニット２２にユーザデータ通知（音声信号）を送り、デコードユニット２２から拡声通報（音声）を出力する。
【００６６】
エンコードユニット３は拡声統制台１へ音声選択通知（マイク選択通知）の信号を送信し、ユーザがマイク１０１を操作して、音声がエンコードユニット３に入力される。エンコードユニット３は回線制御装置６へ非音声データ（音声信号）を送信し、回線制御装置６は基地局７へ非音声データ（音声信号）を送信し、基地局７は屋外拡声子局１１へ非音声データ（音声信号）を送信し、屋外拡声子局１１はデコードユニット２２にユーザデータ通知（音声信号）を送り、デコードユニット２２から拡声通報（音声）を出力する。エンコードユニット３は、拡声統制台１に対して音声（例えば、マイク１０１からの音声）を出力する。
【００６７】
ユーザがエンコードユニット３の終話スイッチ１２０のオン（例えば、ボタンの押下）によりエンコードユニット終話操作をすると、エンコードユニット３は下りチャイムの再生を行う。具体的には、エンコードユニット３は回線制御装置６へ非音声データ（音声信号）を送信し、回線制御装置６は基地局７へ非音声データ（音声信号）を送信し、基地局７は屋外拡声子局１１へ非音声データ（音声信号）を送信し、屋外拡声子局１１はデコードユニット２２にユーザデータ通知（音声信号）を送り、デコードユニット２２から拡声通報（音声）を出力する。
【００６８】
エンコードユニット３は回線制御装置６へ所定のＡＴコマンド（例えば、＋＋＋）を送信し、回線制御装置６はエンコードユニット３へ所定のＡＴコマンド（例えば、ＯＫ）を送信し、エンコードユニット３は拡声統制台１へ通報状態変化通知（緊急通報終了中）の信号を送信する。拡声統制台１では、終了中の運用表示を行う。エンコードユニット３は回線制御装置６へ所定のＡＴコマンド（例えば、ＡＴＨ）を送信し、回線制御装置６は基地局７へ送信権表示の信号を送信し、基地局７は屋外拡声子局１１へＴＣＨ（Ｂ／Ｉ＝Ｂ、データ）の信号を送信する。
【００６９】
回線制御装置６は、基地局７へ解放完了の信号を送信するとともに、エンコードユニット３へ所定のＡＴコマンド（例えば、ＮＯ  ＣＡＲＲＩＥＲ）を送信し、エンコードユニット３は拡声統制台１へ所定のＡＴコマンド（例えば、ＮＯ  ＣＡＲＲＩＥＲ）を送信する。拡声統制台１では、待受け中の運用表示を行う。基地局７は屋外拡声子局１１へＵＩ（グループ通信呼出、グループ呼設定）の信号、ＵＩ（無線チャンネル切断、切断）の信号、ＵＩ（無線チャンネル切断、切断）の信号、空線信号を送信する。
回線制御装置６はエンコードユニット３へＣＤ  ＯＦＦの信号を送信し、エンコードユニット３は拡声統制台１へＣＤ  ＯＦＦの信号、音声選択通知（なしを選択した旨の通知）の信号を送信する。
（以上、図５の処理シーケンスの説明）
【００７０】
図６には、自動起動装置（Ｊ−ＡＬＥＲＴ）２からの通報時における処理のシーケンスの一例を示す図である。
自動起動装置（Ｊ−ＡＬＥＲＴ）２がエンコードユニット３へ起動出力オンの信号を送信すると、エンコードユニット３は回線制御装置６へ所定のＡＴコマンド（例えば、ＡＴ％Ｃ１）を送信し、回線制御装置６はエンコードユニット３へ所定のＡＴコマンド（例えば、ＯＫ）を送信し、エンコードユニット３は回線制御装置６へ所定のＡＴコマンド（例えば、ＡＴＳＬＯＴ３１）を送信し、回線制御装置６はエンコードユニット３へ所定のＡＴコマンド（例えば、ＯＫ）を送信する。
【００７１】
エンコードユニット３は、回線制御装置６へ所定のＡＴコマンド（例えば、ＡＴＤ呼出先番号）を送信してＪ−ＡＬＥＲＴ呼出を行うとともに、拡声統制台１へ通報状態変化通知（Ｊ−ＡＬＥＲＴ開始）の信号を送信する。拡声統制台１では、呼出中の運用表示を行う。回線制御装置６は基地局７へ単信呼設定の信号を送信し、基地局７で無線回線が確保される。基地局７は、回線制御装置６へ呼設定受付の信号を送信し、屋外拡声子局１１へＳＢ１の信号を送信し、回線制御装置６へ無線チャンネル通知の信号を送信し、屋外拡声子局１１へＵＩ（グループ通信呼出、グループ呼設定）の信号、ＴＣＨ（Ｂ／Ｉ＝Ｂ、データ）の信号を送信する。
【００７２】
回線制御装置６は、基地局７へ送信権表示の信号を送信するとともに、エンコードユニット３へ所定のＡＴコマンド（例えば、ＣＯＮＮＥＣＴ）を送信する。エンコードユニット３は、自動起動装置（Ｊ−ＡＬＥＲＴ）２へ、アンサーバックオンの信号を送信した後に、アンサーバックオフの信号を送信する。エンコードユニット３は、拡声統制台１へ通報状態変化通知（Ｊ−ＡＬＥＲＴ通報中）の信号を送信する。拡声統制台１では、通信中の運用表示を行う。
【００７３】
回線制御装置６はエンコードユニット３へＣＤ  ＯＮの信号を送信し、エンコードユニット３は拡声統制台１へＣＤ  ＯＮの信号を送信した後に音声選択通知（Ｊ−ＡＬＥＲＴ選択通知）の信号を送信する。エンコードユニット３は回線制御装置６へ所定の制御信号コマンド（例えば、音量、時差、接点に関するコマンド）を送信し、回線制御装置６は基地局７へ非音声データ（制御信号）を送信し、基地局７は屋外拡声子局１１へ非音声データ（制御信号）を送信し、屋外拡声子局１１はデコードユニット２２にユーザデータ通知（制御信号）を送る。
自動起動装置（Ｊ−ＡＬＥＲＴ）２はエンコードユニット３へＪ−ＡＬＥＲＴ音声（アナログ）を送信する。エンコードユニット３は、この音声を拡声統制台１に対して出力するとともに、この音声の非音声データ（音声信号）を回線制御装置６へ送信する。回線制御装置６は基地局７へ非音声データ（音声信号）を送信し、基地局７は屋外拡声子局１１へ非音声データ（音声信号）を送信し、屋外拡声子局１１はデコードユニット２２にユーザデータ通知（音声信号）を送り、デコードユニット２２から拡声通報（音声）を出力する。
【００７４】
自動起動装置（Ｊ−ＡＬＥＲＴ）２がエンコードユニット３へ終話出力オンの信号を送信すると、エンコードユニット３は回線制御装置６へ所定のＡＴコマンド（例えば、＋＋＋）を送信し、回線制御装置６はエンコードユニット３へ所定のＡＴコマンド（例えば、ＯＫ）を送信し、エンコードユニット３は拡声統制台１へ音声選択通知（なしを選択する旨の通知）の信号、通報状態変化通知（Ｊ−ＡＬＥＲＴ終了中）の信号を送信する。拡声統制台１では、終了中の運用表示を行う。
【００７５】
エンコードユニット３は回線制御装置６へ所定のＡＴコマンド（例えば、ＡＴＨ）を送信し、回線制御装置６は基地局７へ送信権表示の信号を送信する。回線制御装置６は基地局７へ解放完了の信号を送信し、基地局７は屋外拡声子局１１へＵＩ（グループ通信呼出、グループ呼設定）の信号、ＵＩ（無線チャンネル切断、切断）の信号、ＵＩ（無線チャンネル切断、切断）の信号、空線信号を送信する。
回線制御装置６はエンコードユニット３へ所定のＡＴコマンド（例えば、ＮＯ  ＣＡＲＲＩＥＲ）を送信し、エンコードユニット３は拡声統制台１へ所定のＡＴコマンド（例えば、ＮＯ  ＣＡＲＲＩＥＲ）を送信する。拡声統制台１では、待受け中の運用表示を行う。
回線制御装置６はエンコードユニット３へＣＤ  ＯＦＦの信号を送信し、エンコードユニット３は拡声統制台１へＣＤ  ＯＦＦの信号を送信する。
（以上、図６の処理シーケンスの説明）
【００７６】
以上のように、本例の市町村デジタル移動通信システムでは、統制台４や副統制台５からの通報を基地局７、８から無線回線を用いて複数の無線機（例えば、半固定局１２の無線機３１や携帯無線機１３）へ出力するような防災システムにおいて、拡声統制台１からの通報を基地局７から無線回線を用いて屋外拡声子局１１（例えば、複数の屋外拡声子局１１）へ送信して拡声スピーカ２３から出力する。
また、本例の市町村デジタル移動通信システムでは、拡声統制台１からの音声通報の際に、音声をエンコードユニット３でデータ化（本例では、ＡＭＲ−ＷＢの方式のコーデックで符号化）し、基地局７から無線回線を用いて、屋外拡声子局１１へ送信し、そして、屋外拡声子局１１において、当該データ化された音声をデコードユニット２２で音声へ戻して拡声スピーカ２３からその音声を出力する。
また、本例の市町村デジタル移動通信システムでは、例えば、拡声統制台１に障害が発生して拡声統制台１からの通報が不可能な状態になったような場合や、拡声統制台１とエンコードユニット３との回線が断になった場合においても、エンコードユニット３のスイッチ操作によりエンコードユニット３から拡声通報を行うことが可能であり、拡声統制台１からの拡声通報と同等な通報が実現される。
【００７７】
このように、本例の市町村デジタル移動通信システムでは、拡声統制台１、エンコードユニット３、回線制御装置６、基地局７、８、屋外拡声子局１１を有するような無線通信システムにおいて、エンコードユニット３は、拡声統制台１からの指示に応じて回線制御装置６に対して拡声通報を実行させるように構成され、更に、操作部（例えば、緊急一括スイッチ１１７など）が操作されることにより、接続されたマイク１０１からの音声を屋外拡声子局１１に一斉に通報するように構成されている。
【００７８】
従って、本例の市町村デジタル移動通信システムでは、エンコードユニット３からの拡声通報機能を有しており、これにより、例えば、拡声統制台１が障害等で拡声通報操作が行えなくなったような場合においても、エンコードユニット３からの緊急通報機能が（本例では、追加的に）設けられているため、拡声統制台１のバックアップ的な役割を担うことができ、実運用に即したシステムとなっている。また、拡声統制台１が正常であるときに、エンコードユニット３からの拡声通報機能が利用されてもよい。
【００７９】
（以下、構成例の説明）
一構成例として、無線通信システム（本例では、市町村デジタル移動通信システム）では、次のような構成とした。
すなわち、拡声通報対象の音声を発信する拡声通報発信装置（本例では、拡声統制台１）と、複数の発信元からの拡声通報を制御する拡声通報制御装置（本例では、エンコードユニット３）と、回線制御を行う回線制御装置（本例では、回線制御装置６）と、前記回線制御装置からの信号を受信して無線により送信する基地局（本例では、デジタル基地局７）と、前記基地局からの無線信号を受信して拡声出力する拡声子局（本例では、屋外拡声子局１１）と、を有する。
前記拡声通報制御装置では、第１の拡声通報制御手段（本例では、ＡＴコマンドインタフェース１１１や音声エンコード部（ＤＳＰ）１１３の機能）が、前記拡声通報発信装置から発信された拡声通報対象の音声が前記回線制御装置及び前記基地局を介して前記拡声子局に対して送信されるように制御する。また、操作受付手段（本例では、緊急一括スイッチ１１７や通報１スイッチ１１８や通報２スイッチ１１９の機能）が、ユーザ（人）により行われる操作を受け付け、そして、第２の拡声通報制御手段（本例では、接点入力インタフェース１２１や外部マイクインタフェース１１２やＡＴコマンドインタフェース１１１や音声エンコード部（ＤＳＰ）１１３の機能）が、前記操作受付手段により受け付けられた操作に応じて、当該拡声通報制御装置に接続されたマイク（本例では、マイク１０１）から入力された音声が拡声通報対象として前記回線制御装置及び前記基地局を介して前記拡声子局に対して送信されるように制御する。
【００８０】
ここで、拡声通報発信装置や、拡声通報制御装置や、回線制御装置や、基地局や、拡声子局などの各装置としては、それぞれ、種々な構成のものが用いられてもよい。また、各装置の数としては、種々な数であってもよい。
また、複数の発信元からの拡声通報を制御する拡声通報制御装置に関して、複数の発信元としては、種々な装置が用いられてもよく、例えば、拡声通報発信装置や、拡声通報制御装置（自体）や、本例の自動起動装置（Ｊ−ＡＬＥＲＴ）２などを用いることができる。
また、ユーザにより行われる操作を受け付ける操作部や、音声を入力するマイクとしては、それぞれ、種々なものが用いられてもよい。
また、拡声通報制御装置は、一例として、それぞれの発信元からの拡声通報対象の音声を符号化する音声符号化手段（本例では、音声エンコード部（ＤＳＰ）１１３の機能）を備えている。
【００８１】
一構成例として、無線通信システムでは、次のような構成とした。
すなわち、前記拡声子局を複数有している。
前記拡声通報制御装置の前記操作受付手段は、予め設定された１以上の拡声子局に対する拡声通報を指示するための専用の操作受付部（本例では、緊急一括スイッチ１１７や通報１スイッチ１１８や通報２スイッチ１１９）を有している。
前記拡声通報制御装置の前記第２の拡声通報制御手段は、前記操作受付手段が有する前記専用の操作受付部が操作されたことに応じて、当該専用の操作受付部について予め設定された１以上の拡声子局に対して拡声通報対象の音声が送信されるように制御する。
【００８２】
ここで、予め設定された１以上の拡声子局に対する拡声通報を指示するための専用の操作受付部に関して、予め設定された１以上の拡声子局としては、種々な態様が用いられてもよく、例えば、システムに存在する拡声子局の全てが設定されてもよく、或いは、システムに存在する拡声子局の一部が、ユーザなどの指定により、設定されてもよい。
【００８３】
本例では、エンコードユニット３の緊急一括スイッチ１１７は、拡声通報のもともとの対象（屋外拡声子局１１）の全てに対して通報する指示を受け付け、また、エンコードユニット３の通報１スイッチ１１８や通報２スイッチ１１９は、拡声通報のもともとの対象（屋外拡声子局１１）のうちで、通報対象として設定された一部（又は、全部が設定されてもよい）に対して通報する指示を受け付ける。
【００８４】
一構成例として、無線通信システムでは、次のような構成とした。
すなわち、前記拡声通報制御装置では、優先度記憶手段（本例では、エンコードユニット３に備えられたメモリ）が、前記拡声通報発信装置と当該拡声通報制御装置を含む２以上の装置について拡声通報の優先度を記憶し、そして、優先度制御手段（本例では、エンコードユニット３における処理を制御する制御部の機能或いは他の構成における同様な機能）が、前記優先度記憶手段に記憶された優先度に基づいて、優先度が高い装置から発信される拡声通報が、優先度がより低い装置から発信される拡声通報と比べて、優先させて行われるように制御する。
【００８５】
ここで、優先度が高い装置から発信される拡声通報が、優先度がより低い装置から発信される拡声通報と比べて、優先させて行われるように制御する態様としては、種々なものが用いられてもよく、例えば、優先度が高い装置からの拡声通報中には、優先度がより低い装置からの拡声通報の要求を拒否すること（拡声通報を不可とすること）や、優先度が低い装置からの拡声通報中に、優先度がより高い装置からの拡声通報の要求があった場合には、前記した優先度が低い装置からの拡声通報を切断（例えば、中止又は停止）して、前記した優先度がより高い装置からの拡声通報を実行させること、などができる。なお、これら２つの装置の優先度が同一である場合における制御の仕方については、任意に設定されてもよく、例えば、時間的に早く拡声通報の要求を発した方の装置を優先させる、などの態様を用いることができる。
（以上、構成例の説明）
【００８６】
（実施例のまとめ）
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００８７】
１・・拡声統制台、  ２・・自動起動装置（Ｊ−ＡＬＥＲＴ）、  ３・・エンコードユニット、  ４・・統制台、  ５・・副統制台、  ６・・回線制御装置、  ７・・デジタル基地局、  ８・・アナログ基地局、  １１・・屋外拡声子局、  １２・・半固定局、  １３・・携帯無線機、  ２１、３１・・無線機、  ２２・・デコードユニット、  ２３・・拡声スピーカ、  ４１〜４９、５１・・インタフェース、  １０１・・マイク、  １１１・・ＡＴコマンドインタフェース、  １１２・・外部マイクインタフェース、  １１３・・音声エンコード部（ＤＳＰ）、  １１４・・内部スピーカ音量調整部、  １１５・・ＡＦアンプ、  １１６、２１５・・モニタスピーカ、  １１７、２１１・・緊急一括スイッチ、  １１８、２１２・・通報１スイッチ、  １１９、２１３・・通報２スイッチ、  １２０、２１４・・終話スイッチ、  １２１・・接点入力インタフェース、  １２２・・接点出力インタフェース、  １２３・・動作ＬＥＤ、  ２０１・・エンコードユニット電源ＬＥＤ、  ２０２・・エンコードユニットアラームＬＥＤ、  ２０３・・ＰＣアラームＬＥＤ、  ２０４・・ＬＣＵアラームＬＥＤ、  ２０５・・通報中ＬＥＤ、  ２０６・・局送ＬＥＤ、  ２０７・・ＰＣ接続中ＬＥＤ、  ２０８・・ＬＣＵ接続中ＬＥＤ、  ２０９・・マイク音量レベルメータＬＥＤ、  ２１０・・マイク音量調整ツマミ、  ２１６・・エンコードユニットスピーカ音量調整ツマミ、
【図１】
0005723166.tif 000002
【図２】
0005723166.tif 000003
【図３】
0005723166.tif 000004
【図４】
0005723166.tif 000005
【図５】
0005723166.tif 000006
【図６】
0005723166.tif 000007